(57)【要約】【課題】効率の良い冷却を実現する。【解決手段】冷却システム１は、氷を含むスラリー状の媒体を生成するスラリー生成部２と、スラリー状の媒体を送出するポンプ３と、スラリー生成部２から送出されるスラリー状の媒体を冷却対象物９へと導き、冷却対象物９の冷却に使用された媒体をスラリー生成部２へと戻す循環配管４とを備える。循環配管４は、内部を流れるスラリー状の媒体と冷却対象物９との間の熱交換により、冷却対象物９の表面である冷却対象面９１を冷却する冷却部４１を備える。冷却システム１では、スラリー状の媒体を利用することにより、冷却対象面９１近傍に設けられた冷却部４１まで、氷を容易に搬送することができる。これにより、他の媒体を介して氷の潜熱を利用する場合等に比べて、氷の潜熱を効率良く利用した冷却対象面９１の冷却を実現することができ、冷却対象面９１近傍の空間の温度を効率良く低下させることができる。【選択図】図１
2015169407.tif 000002
【特許請求の範囲】
【請求項１】
冷却システムであって、
氷を含むスラリー状の媒体を生成するスラリー生成部と、
前記スラリー生成部からスラリー状の前記媒体を送出するポンプと、
前記スラリー生成部から送出されるスラリー状の前記媒体を冷却対象物へと導き、前記冷却対象物の冷却に使用された前記媒体を前記スラリー生成部へと戻す循環配管と、
を備え、
前記循環配管が、内部を流れるスラリー状の前記媒体と前記冷却対象物との間の熱交換により、前記冷却対象物の表面である冷却対象面を冷却する冷却部を備えることを特徴とする冷却システム。
【請求項２】
請求項１に記載の冷却システムであって、
前記冷却対象面が地表であり、
前記冷却部が、前記地表の下方に埋設されることを特徴とする冷却システム。
【請求項３】
請求項１に記載の冷却システムであって、
前記冷却対象物であるパネル床をさらに備え、
前記冷却部が前記パネル床の内部に設けられ、前記冷却対象面である床面を冷却することを特徴とする冷却システム。
【請求項４】
請求項１ないし３のいずれかに記載の冷却システムであって、
前記スラリー生成部から送出されるスラリー状の前記媒体に含まれる氷が、略球形の粒状氷であることを特徴とする冷却システム。
【請求項５】
請求項１ないし４のいずれかに記載の冷却システムであって、
前記スラリー生成部が、
水またはブラインである液状の前記媒体を冷却して部分的に凝固させることにより、前記媒体中に粒状氷を生成する製氷部と、
前記製氷部からの前記媒体を貯溜し、前記媒体中の前記粒状氷を大きくして送出する貯溜部と、
前記貯溜部からの前記粒状氷と、前記循環配管を介して前記スラリー生成部へと戻された前記媒体との混合物を攪拌する攪拌部と、
を備えることを特徴とする冷却システム。
【発明の詳細な説明】
【技術分野】
【０００１】
本発明は、冷却システムに関する。
【背景技術】
【０００２】
従来より、特許文献１および特許文献２のように、夏期の屋外において、集客施設に入場するための行列の近傍に噴霧ノズルを設置し、噴霧ノズルから霧を噴出させることにより、蒸発潜熱を利用して行列近傍の温度を低下させる技術が知られている。また、特許文献３のように、夜間に製氷機にて生成された氷を氷蓄熱槽に蓄え、昼間の冷房時に、氷蓄熱槽の氷により空調機の冷媒を冷却する技術も知られている。さらに、特許文献４のように、部屋の床下に設けられた循環パイプに冷水を循環させることにより、室内を冷却させる技術も知られている。
【先行技術文献】
【特許文献】
【０００３】
【特許文献１】特開平６−１０９３４１号公報
【特許文献２】特開２００６−１７７５７８号公報
【特許文献３】特開２００１−１８２９７４号公報
【特許文献４】実用新案登録第３０９２３２２号
【発明の概要】
【発明が解決しようとする課題】
【０００４】
ところで、特許文献１および特許文献２のような装置では、蒸散に適した霧を発生させるためには、噴霧ノズルにおける水の高圧化が必要となるため、装置を駆動するための動力が大きくなる。また、噴霧ノズル等の構造物を行列等の上方に設ける必要があるため、設置可能な場所が限られる。さらに、設置場所の風向きによっては、噴霧ノズルから噴出された霧が意図しない方向に流れてしまい、対象空間の冷却効率が低下するおそれがある。また、炎天下の露天では、霧により雰囲気が多湿化してしまい、快適性を損なうおそれもある。一方、特許文献３および特許文献４の技術は、屋内における冷房に関するものであり、屋外の雰囲気の冷却には適さない。特許文献４のように、冷水の顕熱による冷却を屋外で行おうとすると、大量の水を循環させる必要がある。
【０００５】
本発明は、上記課題に鑑みなされたものであり、効率の良い冷却を実現することを目的としている。
【課題を解決するための手段】
【０００６】
請求項１に記載の発明は、冷却システムであって、氷を含むスラリー状の媒体を生成するスラリー生成部と、前記スラリー生成部からスラリー状の前記媒体を送出するポンプと、前記スラリー生成部から送出されるスラリー状の前記媒体を冷却対象物へと導き、前記冷却対象物の冷却に使用された前記媒体を前記スラリー生成部へと戻す循環配管とを備え、前記循環配管が、内部を流れるスラリー状の前記媒体と前記冷却対象物との間の熱交換により、前記冷却対象物の表面である冷却対象面を冷却する冷却部を備える。
【０００７】
請求項２に記載の発明は、請求項１に記載の冷却システムであって、前記冷却対象面が地表であり、前記冷却部が、前記地表の下方に埋設される。
【０００８】
請求項３に記載の発明は、請求項１に記載の冷却システムであって、前記冷却対象物であるパネル床をさらに備え、前記冷却部が前記パネル床の内部に設けられ、前記冷却対象面である床面を冷却する。
【０００９】
請求項４に記載の発明は、請求項１ないし３のいずれかに記載の冷却システムであって、前記スラリー生成部から送出されるスラリー状の前記媒体に含まれる氷が、略球形の粒状氷である。
【００１０】
請求項５に記載の発明は、請求項１ないし４のいずれかに記載の冷却システムであって、前記スラリー生成部が、水またはブラインである液状の前記媒体を冷却して部分的に凝固させることにより、前記媒体中に粒状氷を生成する製氷部と、前記製氷部からの前記媒体を貯溜し、前記媒体中の前記粒状氷を大きくして送出する貯溜部と、前記貯溜部からの前記粒状氷と、前記循環配管を介して前記スラリー生成部へと戻された前記媒体との混合物を攪拌する攪拌部とを備える。
【発明の効果】
【００１１】
本発明では、効率の良い冷却を実現することができる。
【図面の簡単な説明】
【００１２】
【図１】第１の実施の形態に係る冷却システムの構成を示す図である。
【図２】第２の実施の形態に係る冷却システムの構成を示す図である。
【発明を実施するための形態】
【００１３】
図１は、本発明の第１の実施の形態に係る冷却システム１の構成を示す図である。冷却システム１は、例えば、夏期のテーマパークやイベント会場において、屋外にて人々が並んで待機する空間や、屋外におけるショーの見物場所の冷却に利用される。
【００１４】
図１に示すように、冷却システム１は、スラリー生成部２と、ポンプ３と、循環配管４とを備える。スラリー生成部２は、ブライン（例えば、海水）または水である液状の媒体から、氷を含むスラリー状の媒体を生成する。当該スラリー状の媒体は、液と氷とが混ざったシャーベット状の冷却媒体であり、いわゆる「スラリーアイス」である。ポンプ３は、スラリー生成部２にて生成されたスラリー状の媒体を循環配管４へと送出する。
【００１５】
循環配管４は、ポンプ３によりスラリー生成部２から送出されるスラリー状の媒体が流れる密閉配管である。循環配管４の両端部は、スラリー生成部２に接続される。循環配管４は、スラリー生成部２から送出されるスラリー状の媒体を冷却対象物９へと導き、冷却対象物９の冷却に使用された当該媒体をスラリー生成部２へと戻す。以下の説明では、循環配管４の両端部のうち、スラリー生成部２からスラリー状の媒体が供給される側の端部を「第１端部４２」と呼ぶ。また、冷却に使用された媒体をスラリー生成部２へと戻す側の端部を「第２端部４３」と呼ぶ。循環配管４では、２つの第２端部４３が設けられる。第１端部４２は、後述する攪拌部２３に接続される。２つの第２端部４３のうち、一方の第２端部４３は、後述する貯溜部２２の粒状氷移送管２２５に接続され、他方の第２端部４３は貯溜部２２の貯溜槽２２１に接続される。
【００１６】
循環配管４は、第１端部４２と２つの第２端部４３との間に位置する冷却部４１を備える。冷却部４１は、内部を流れるスラリー状の媒体と冷却対象物９との間の熱交換により、冷却対象物９の表面である冷却対象面９１を冷却する。図１に示す例では、冷却対象物９は、屋外において人々が集まる場所の地面である。当該地面は、土壌であってもよく、土壌上に形成されたコンクリート層やアスファルト層であってもよい。また、冷却対象面９１は地表である。図１では、冷却対象面９１に平行斜線を付す。冷却部４１は、冷却対象面９１である地表の下方（すなわち、地中）に埋設される。冷却部４１と冷却対象面９１との深さ方向の距離は、例えば、１０ｃｍ以下である。
【００１７】
図１に示す例では、冷却部４１は、複数の屈曲部４１１が設けられた配管であり、循環配管４の一部を構成する。冷却部４１は、冷却対象面９１の下方にて略面状に配置される。冷却部４１は、複数に分岐した後に合流する配管であってもよく、配管以外の形状であってもよい。冷却部４１にて冷却対象面９１の冷却に利用された媒体は、スラリー生成部２からの送出直後よりも氷の含有率が低いスラリー状、または、氷を含まない液状となってスラリー生成部２へと戻される。
【００１８】
スラリー生成部２は、製氷部２１と、貯溜部２２と、攪拌部２３とを備える。図１では、貯溜部２２および攪拌部２３の縦断面を示す。製氷部２１は、上述の液状の媒体を冷却して部分的に凝固させることにより、当該媒体中に細かい粒状氷を生成する。具体的には、製氷部２１において、液状の媒体が冷却されて過冷却状態となり、過冷却状態の媒体がさらに冷却されることにより、液状の媒体中に氷の結晶（例えば、直径約０．１ｍｍの略球形の粒状氷）が生成される。当該粒状氷を含む媒体は、製氷部２１から貯溜部２２へと送出され、貯溜部２２にて貯溜される。
【００１９】
貯溜部２２は、貯溜槽２２１と、供給ポート２２２と、循環ポート２２３と、掻取部２２４と、粒状氷移送管２２５とを備える。貯溜槽２２１は、例えば、有底略円筒状の容器である。貯溜槽２２１の底部には、供給ポート２２２および循環ポート２２３が設けられる。製氷部２１から送出された細かい粒状氷を含む媒体は、供給ポート２２２から貯溜槽２２１に供給される。貯溜槽２２１は、製氷部２１からの媒体を内部に貯溜する。
【００２０】
貯溜槽２２１内では、媒体８１中の粒状氷が浮力により上方へと移動する。したがって、貯溜槽２２１内の下部には、主に媒体８１の液部が存在する。媒体８１の液部（すなわち、液状の媒体）は、循環ポート２２３を介して製氷部２１へと戻される。貯溜槽２２１内では、粒状氷が媒体８１の液面に向かって移動する。貯溜槽２２１内の上部では、媒体８１中の粒状氷が集まり、粒状氷の集合である粒状氷集合体８２が形成されて媒体８１の液部に浮かぶ。粒状氷集合体８２の頂部は、当該液部の液面から上方に突出する。
【００２１】
貯溜槽２２１の直径および高さは、例えば、約３ｍおよび約９ｍである。貯溜槽２２１の底部から供給された粒状氷は、媒体８１中をゆっくりと上方へと移動し、粒状氷集合体８２の一部となり、媒体８１の液面よりも上方へと押し上げられる。粒状氷は、貯溜槽２２１に供給されてから比較的長い時間（例えば、数十時間）をかけて、媒体８１の液面よりも上方へと移動し、当該移動の過程において成長して大きくなる。粒状氷集合体８２の頂部は、主に直径約０．３ｍｍ〜２．０ｍｍの略球形の粒状氷により形成される。
【００２２】
掻取部２２４は、貯溜槽２２１の上部に設けられる。掻取部２２４は、複数のブレード２２６を備える。複数のブレード２２６は、貯溜槽２２１の中心軸上に設けられた回転軸を中心として略水平に回転する。貯溜部２２では、回転する複数のブレード２２６が粒状氷集合体８２の頂部に接触することにより、粒状氷集合体８２の頂部から粒状氷が掻き取られる。なお、掻取部２２４は、複数のブレード２２６に代えて、粒状氷集合体８２から粒状氷を掻き取る他の構造を有していてもよい。
【００２３】
粒状氷集合体８２から掻き取られた粒状氷は、掻取部２２４により粒状氷移送管２２５へと集められ、粒状氷移送管２２５を介して、貯溜槽２２１の上部から下方の攪拌部２３へと送出される。すなわち、スラリー生成部２では、貯溜部２２が、製氷部２１からの媒体８１を貯溜し、媒体８１中の粒状氷を大きくした後に攪拌部２３へと送出する。貯溜部２２の貯溜槽２２１から送出される粒状氷は、液部をほとんど含まないドライな氷である。粒状氷移送管２２５としては、例えば、径が比較的大きいラバー系ホースが利用される。粒状氷移送管２２５の上端部近傍には、上述の循環配管４の一方の第２端部４３が接続される。冷却部４１から循環配管４を介してスラリー生成部２へと戻されるスラリー状または液状の媒体の一部は、粒状氷移送管２２５の上端部近傍へと供給される。貯溜部２２の貯溜槽２２１からの粒状氷と、冷却部４１から戻されたスラリー状または液状の媒体とは、粒状氷移送管２２５内にて混合されて攪拌部２３へと供給される。冷却部４１からの媒体の一部が粒状氷移送管２２５の上端部近傍に供給されることにより、粒状氷移送管２２５内において粒状氷が詰まることを抑制することができる。
【００２４】
攪拌部２３は、攪拌槽２３１と、攪拌機構２３２とを備える。貯溜部２２から送出された粒状氷と冷却部４１から戻された媒体とは、攪拌槽２３１に供給される。攪拌部２３では、貯溜部２２からの粒状氷と、冷却部４１から戻されたスラリー状または液状の媒体との混合物が、攪拌槽２３１において攪拌機構２３２により攪拌される。換言すれば、攪拌部２３では、製氷部２１から貯溜部２２を経由して送出された粒状氷を含む媒体が攪拌される。これにより、粒状氷が均等に分散したスラリー状の媒体が生成される。なお、循環配管４の上記第２端部４３が攪拌槽２３１に接続され、貯溜槽２２１からの粒状氷と、冷却部４１から戻された媒体とが、攪拌槽２３１において混合されてもよい。
【００２５】
攪拌槽２３１には、循環配管４の第１端部４２も接続されており、攪拌槽２３１にて生成されたスラリー状の媒体は、第１端部４２から循環配管４へと送出される。スラリー生成部２の攪拌槽２３１から送出されるスラリー状の媒体には、上述のように、製氷部２１にて生成されて貯溜部２２にて成長した略球形の粒状氷が含まれる。スラリー生成部２から送出されるスラリー状の媒体に含まれる粒状氷の直径は、好ましくは０．３ｍｍ以上であり、より好ましくは０．５ｍｍ以上である。また、当該媒体における粒状氷の直径は、好ましくは２．０ｍｍ以下であり、より好ましくは１．０ｍｍ以下である。当該媒体における粒状氷の含有率（すなわち、媒体に含まれる粒状氷の割合）は、好ましくは、５重量％以上３０重量％以下であり、さらに好ましくは、５重量％以上２０重量％以下である。媒体における粒状氷の含有率は、貯溜部２２から攪拌槽２３１への粒状氷の供給量、および、循環配管４から攪拌槽２３１に戻される媒体の量のうち少なくとも一方が制御部により制御されることにより調節される。これにより、粒状氷を所望の含有率にて含むスラリー状の媒体を生成することができる。
【００２６】
スラリー生成部２から循環配管４へと送出されたスラリー状の媒体は、冷却部４１へと導かれる。冷却部４１では、冷却部４１の内部を流れるスラリー状の媒体と冷却対象物９との間において熱交換が行われ、冷却対象面９１である地表が冷却される。冷却対象面９１の冷却に利用された媒体は、上述のように、冷却部４１からスラリー生成部２へと戻され、その一部が攪拌槽２３１に供給される。また、スラリー生成部２へと戻された媒体の他の部分は、貯溜槽２２１の底部から貯溜槽２２１内へと供給され、製氷部２１における粒状氷の生成に利用される。
【００２７】
以上に説明したように、冷却システム１では、氷を含んだスラリー状の媒体を利用することにより、冷却対象面９１近傍に設けられた冷却部４１まで、氷を容易に搬送することができる。これにより、他の媒体を介して氷の潜熱を利用する場合等に比べて、氷の潜熱を効率良く利用した冷却対象面９１の冷却を実現することができる。その結果、冷却対象面９１近傍の空間の温度を効率良く低下させることができる。
【００２８】
冷却対象面９１が地表である場合、夏期に冷却システム１を利用することにより、例えば、当該地表上にて行列に並んだりショーを見物する人々の快適性を向上することができる。また、地表を冷却することにより、大気中の水分を地表上に凝縮させることもできる。地表上に凝縮した水分は、冷却された地表上にて比較的ゆっくりと蒸発する。このため、地表上の空間の湿度はあまり増大せず、蒸発時の気化熱により当該空間の温度がさらに低下する。これにより、いわゆる「打ち水」を行った場合と同様に、地表上の空間の快適性を向上することができる。なお、冷却システム１は、地面以外の様々な冷却対象物９（例えば、構造物の側壁や天井）の冷却に利用されてもよい。
【００２９】
冷却システム１では、上述のように、スラリー状の媒体を利用して冷却対象面９１の近傍まで氷を容易に搬送することができるため、スラリー生成部２を冷却対象面９１から離れた場所に設けることができる。これにより、冷却対象面９１が地表の場合、当該地表上の空間の使用が制限されることを防止することができる。また、当該地表上および周囲の空間における構造物の外観統一性が、噴霧ノズル等により損なわれることを防止することもできる。
【００３０】
上述のように、スラリー生成部２から送出されるスラリー状の媒体に含まれる氷は、略球形の粒状氷である。これにより、スラリー状の媒体の搬送可能距離を長くすることができる。その結果、スラリー生成部２を冷却対象面９１からさらに離れた場所に設けることができる。すなわち、スラリー生成部２の設置位置の選択自由度を向上することができる。
【００３１】
冷却システム１では、循環配管４におけるスラリー状の媒体の均等かつ良好な流れを維持するためには、スラリー状の媒体に含まれる氷が過剰に大きくなく、かつ、過剰に小さくないことが好ましい。冷却システム１では、スラリー生成部２から送出されるスラリー状の媒体に含まれる粒状氷の直径が０．３ｍｍ以上２．０ｍｍ以下であることにより、スラリー状の媒体の搬送可能距離をさらに長くすることができる。スラリー状の媒体の搬送可能距離をより一層長くするという観点からは、当該粒状氷の直径は０．５ｍｍ以上１．０ｍｍ以下であることがさらに好ましい。
【００３２】
また、冷却システム１では、スラリー生成部２から送出されるスラリー状の媒体における粒状氷の含有率が３０重量％以下であることにより、スラリー状の媒体の搬送可能距離をさらに長くすることができる。スラリー状の媒体の搬送可能距離をより一層長くするという観点からは、当該粒状氷の含有率は２０重量％以下であることがさらに好ましい。例えば、粒状氷の直径が約０．５ｍｍ〜１．０ｍｍであり、粒状氷の含有率が約１５重量％であるスラリー状の媒体をスラリー生成部２から送出する場合、ポンプ３の出力を過剰に大きくすることなく、約６００ｍの循環配管４を利用して冷却対象面９１を冷却することができる。一方、氷の潜熱を利用して冷却対象面９１を効率良く冷却するという観点からは、スラリー生成部２から送出されるスラリー状の媒体における粒状氷の含有率は５重量％以上であることが好ましい。
【００３３】
上述のように、スラリー生成部２では、液状の媒体を冷却して媒体中に粒状氷を生成する製氷部２１と、製氷部２１からの媒体を攪拌する攪拌部２３とが設けられる。これにより、スラリー生成部２から送出されるスラリー状の媒体において、粒状氷の含有率が局所的に異なることを抑制することができる。このため、循環配管４および冷却部４１におけるスラリー状の媒体の流れの均一性を向上することができる。その結果、スラリー状の媒体の搬送可能距離をさらに長くすることができるとともに、冷却部４１における冷却対象物９の均等な冷却を実現することができる。
【００３４】
スラリー生成部２では、さらに、製氷部２１からの媒体を貯溜して媒体中の粒状氷を大きくした後に攪拌部２３へと送出する貯溜部２２が設けられる。貯溜部２２にて粒状氷を適切な大きさまで成長させることにより、循環配管４におけるスラリー状の媒体のより均等かつより良好な流れを実現することができる。また、夜間電力等を利用して生成された粒状氷を貯溜部２２にて貯溜することができるため、スラリー状の媒体の生成コストを低減することができる。さらには、貯溜部２２に貯溜された粒状氷を利用して、冷却対象物９を長時間に亘って連続的に冷却することができる。
【００３５】
上述のように、スラリー生成部２では、掻取部２２４により粒状氷集合体８２の頂部から掻き取られた粒状氷（いわゆる、ドライ氷）と、冷却部４１から戻された媒体とが、攪拌部２３において攪拌される。これにより、スラリー生成部２から送出されるスラリー状の媒体における粒状氷の含有率を容易に調節することができる。
【００３６】
図２は、本発明の第２の実施の形態に係る冷却システム１ａの構成を示す図である。冷却システム１ａは、図１に示す冷却システム１の各構成に加えて、冷却対象物であるパネル床４５をさらに備える。冷却システム１ａの他の構成は、図１に示す冷却システム１と同様であり、以下の説明では同符号を付す。図２に示すように、冷却システム１ａでは、循環配管４上の冷却部４１はパネル床４５の内部、すなわち、パネル床４５の上面である床面４６と底面４７との間に設けられ、冷却対象面である床面４６を冷却する。パネル床４５は、それぞれが内部に冷却部４１の一部を有する複数の分割床が接続されることにより形成されてもよい。
【００３７】
冷却システム１ａでは、図１に示す冷却システム１と同様に、スラリー生成部２にて生成されたスラリー状の媒体を利用することにより、パネル床４５の床面４６近傍に設けられた冷却部４１まで、氷を容易に搬送することができる。これにより、氷の潜熱を効率良く利用した床面４６の冷却を実現することができる。その結果、床面４６近傍の空間の温度を効率良く低下させることができる。パネル床４５は、例えば、夏期の屋外に設置される。これにより、パネル床４５上にて行列に並んだりショーを見物する人々の快適性を向上することができる。また、大気中の水分を床面４６上に凝縮させることもでき、いわゆる「打ち水」を行った場合と同様に、パネル床４５上の空間の快適性を向上することができる。さらに、パネル床４５と共に冷却部４１を移動することができるため、冷却部４１の設置を容易とすることができる。
【００３８】
上記冷却システム１，１ａは、様々な変更が可能である。
【００３９】
スラリー生成部２から送出されるスラリー状の媒体において、粒状氷の含有率が局所的に異なることを抑制することができる場合は、スラリー生成部２から攪拌部２３が省略され、貯溜槽２２１からスラリー状の媒体が循環配管４に送出されてもよい。また、スラリー生成部２において粒状氷を貯溜する必要がない場合は、スラリー生成部２から貯溜槽２２１が省略され、製氷部２１にて生成された氷が攪拌部２３へと直接供給されてもよい。
【００４０】
スラリー状の媒体に含まれる粒状氷の直径は、上述の範囲には限定されず、スラリー状の媒体における粒状氷の含有率も、上述の範囲には限定されない。また、スラリー状の媒体に含まれる氷の形状は略球形には限定されず、他の様々な形状の氷が媒体に含まれていてもよい。スラリー生成部２では、氷塊を粉砕して生成された氷の破片に海水等を加えることにより、スラリー状の媒体が生成されてもよい。
【００４１】
上記実施の形態および各変形例における構成は、相互に矛盾しない限り適宜組み合わされてよい。
【符号の説明】
【００４２】
１，１ａ    冷却システム
２    スラリー生成部
３    ポンプ
４    循環配管
９    冷却対象物
２１    製氷部
２２    貯溜部
２３    攪拌部
４１    冷却部
４５    パネル床
４６    床面
８１    媒体
８２    粒状氷集合体
９１    冷却対象面
【図１】
2015169407.tif 000003
【図２】
2015169407.tif 000004
【手続補正書】
【提出日】平成27年1月13日(2015.1.13)
【手続補正１】
【補正対象書類名】特許請求の範囲
【補正対象項目名】全文
【補正方法】変更
【補正の内容】
【特許請求の範囲】
【請求項１】
冷却システムであって、
氷を含むスラリー状の媒体を生成するスラリー生成部と、
前記スラリー生成部からスラリー状の前記媒体を送出するポンプと、
前記スラリー生成部から送出されるスラリー状の前記媒体を地面へと導き、前記地面の冷却に使用された前記媒体を前記スラリー生成部へと戻す循環配管と、
を備え、
前記循環配管が、前記地面の表面である地表の下方に埋設されるとともに内部を流れるスラリー状の前記媒体と前記地面との間の熱交換により、前記地表を冷却する冷却部を備えることを特徴とする冷却システム。
【請求項２】
冷却システムであって、
氷を含むスラリー状の媒体を生成するスラリー生成部と、
前記スラリー生成部からスラリー状の前記媒体を送出するポンプと、
屋外に設置されたパネル床と、
前記スラリー生成部から送出されるスラリー状の前記媒体を前記パネル床へと導き、前記パネル床の冷却に使用された前記媒体を前記スラリー生成部へと戻す循環配管と、
を備え、
前記循環配管が、前記パネル床の内部に設けられるとともに内部を流れるスラリー状の前記媒体と前記パネル床との間の熱交換により、前記パネル床の表面である床面を冷却する冷却部を備えることを特徴とする冷却システム。
【請求項３】
請求項１または２に記載の冷却システムであって、
前記スラリー生成部から送出されるスラリー状の前記媒体に含まれる氷が、略球形の粒状氷であることを特徴とする冷却システム。
【請求項４】
請求項１ないし３のいずれかに記載の冷却システムであって、
前記スラリー生成部が、
水またはブラインである液状の前記媒体を冷却して部分的に凝固させることにより、前記媒体中に粒状氷を生成する製氷部と、
前記製氷部からの前記媒体を貯溜し、前記媒体中の前記粒状氷を大きくして送出する貯溜部と、
前記貯溜部からの前記粒状氷と、前記循環配管を介して前記スラリー生成部へと戻された前記媒体との混合物を攪拌する攪拌部と、
を備えることを特徴とする冷却システム。
【手続補正２】
【補正対象書類名】明細書
【補正対象項目名】０００６
【補正方法】変更
【補正の内容】
【０００６】
請求項１に記載の発明は、冷却システムであって、氷を含むスラリー状の媒体を生成するスラリー生成部と、前記スラリー生成部からスラリー状の前記媒体を送出するポンプと、前記スラリー生成部から送出されるスラリー状の前記媒体を地面へと導き、前記地面の冷却に使用された前記媒体を前記スラリー生成部へと戻す循環配管とを備え、前記循環配管が、前記地面の表面である地表の下方に埋設されるとともに内部を流れるスラリー状の前記媒体と前記地面との間の熱交換により、前記地表を冷却する冷却部を備える。
請求項２に記載の発明は、冷却システムであって、氷を含むスラリー状の媒体を生成するスラリー生成部と、前記スラリー生成部からスラリー状の前記媒体を送出するポンプと、屋外に設置されたパネル床と、前記スラリー生成部から送出されるスラリー状の前記媒体を前記パネル床へと導き、前記パネル床の冷却に使用された前記媒体を前記スラリー生成部へと戻す循環配管とを備え、前記循環配管が、前記パネル床の内部に設けられるとともに内部を流れるスラリー状の前記媒体と前記パネル床との間の熱交換により、前記パネル床の表面である床面を冷却する冷却部を備える。
【手続補正３】
【補正対象書類名】明細書
【補正対象項目名】０００７
【補正方法】削除
【補正の内容】
【手続補正４】
【補正対象書類名】明細書
【補正対象項目名】０００８
【補正方法】削除
【補正の内容】
【手続補正５】
【補正対象書類名】明細書
【補正対象項目名】０００９
【補正方法】変更
【補正の内容】
【０００９】
請求項３に記載の発明は、請求項１または２に記載の冷却システムであって、前記スラリー生成部から送出されるスラリー状の前記媒体に含まれる氷が、略球形の粒状氷である。
【手続補正６】
【補正対象書類名】明細書
【補正対象項目名】００１０
【補正方法】変更
【補正の内容】
【００１０】
請求項４に記載の発明は、請求項１ないし３のいずれかに記載の冷却システムであって、前記スラリー生成部が、水またはブラインである液状の前記媒体を冷却して部分的に凝固させることにより、前記媒体中に粒状氷を生成する製氷部と、前記製氷部からの前記媒体を貯溜し、前記媒体中の前記粒状氷を大きくして送出する貯溜部と、前記貯溜部からの前記粒状氷と、前記循環配管を介して前記スラリー生成部へと戻された前記媒体との混合物を攪拌する攪拌部とを備える。
【手続補正７】
【補正対象書類名】明細書
【補正対象項目名】００１１
【補正方法】変更
【補正の内容】
【００１１】
本発明では、屋外における効率の良い冷却を実現することができる。